(57)【要約】【課題】コードリールによるコードの巻き取り時にコードのプラグの尖刃で家具や床に傷をつけたりすることが無いアイロン装置を提供する。【解決手段】コード２を巻き取るコードリール装置（図示せず）と、コード２の先端のプラグ８に設けた保護カバー１１とを備え、保護カバー１１は、プラグ８の尖刃７を覆うと共に、弾力性の有る形状に又は／および弾力性の有る材料で形成したもので、コード２の巻き取り時に、尖刃７が他の物体や人に直接に当たることがないので、傷をつけたり怪我をしたりすることが無く、またプラグ８をコンセント１２に差し込む場合には、保護カバー１１の弾力性によりプラグ８は従来通り完全に差し込むことができ、又プラグ８をコンセント１２に差し込んだ時、保護カバー１１の先端がコンセント１２の表面に密接し、コンセント１２との結合部に液体等が浸入することがない。【選択図】図１
2006075481.tif 000002
【特許請求の範囲】
【請求項１】
アイロン本体と、前記アイロン本体に電源を供給するコードを巻き取るコードリール装置と、前記コードの先端のプラグに設けた保護カバーとを備え、前記保護カバーは、前記プラグの尖刃を覆うと共に、弾力性の有る形状に又は／および弾力性の有る材料で形成したアイロン装置。
【請求項２】
保護カバーの一端を、プラグの指接触部と尖刃との間に固定した請求項１に記載のアイロン装置。
【請求項３】
保護カバーをジャバラ状に形成した請求項１又は２に記載のアイロン装置。
【請求項４】
保護カバーを、プラグの尖刃方向に対して平行に中央部が膨らんだＵ字型断面形状にした請求項１又は２に記載のアイロン装置。
【請求項５】
保護カバーを、透明又は半透明材料で形成した請求項１〜４のいずれか１項に記載のアイロン装置。
【発明の詳細な説明】
【技術分野】
【０００１】
本発明は、衣類等のしわ伸ばしを行うアイロン装置に関するものである。
【背景技術】
【０００２】
従来のこの種のアイロンについて、図３、図４を用いて説明する。
【０００３】
図３は、従来のアイロン装置の後部断面図を示すもので、アイロン本体１の後部にコード２を巻き取るコードリール装置３を設けている。前記コードリール装置３はアイロンがけに必要な約２ｍ程度の長さのコード２をコンパクトにかつ、スムーズに巻き取るために、コード２が複数列に巻けるように幅広く形成してあり、前後一対のリールケース４ａ、４ｂによってコード２を巻き取るリール５を回動自在に軸支するとともに、ぜんまい６によってリール５をコード２が巻き取る方向に付勢している。
【０００４】
コード２の先端部には、尖刃７を有するプラグ８が接続されており、コードリール装置３からコード２を引き出すコード引き出し口９を、図ではコードリール装置３の上部に設けておりこのコード引き出し口９で、プラグ８が止まりコードリール装置３内部に入らないようにしている（例えば、特許文献１参照）。
【０００５】
図４は、アイロン本体１がコードレス構造をしたものであり、コードリール装置３はスタンド１０側に取り付けられており、コードリール装置３自体は前記のアイロン本体１後部に取り付けたものと同様の構造をしたものである。スタンド１０からコード２を引き出す引き出し口９は図には示していないがスタンド１０側面に設けており、前記と同様にコード２先端のプラグ８が、コード引き出し口９で止まる構造になっていた（例えば、特許文献２参照）。
【特許文献１】特開昭５９−１４４４９７号公報
【特許文献２】特開２００２−４５６００号公報
【発明の開示】
【発明が解決しようとする課題】
【０００６】
しかしながら、上記従来のアイロン装置では、コード２を完全に引き出した状態からコード２を巻き込む場合、前記ぜんまい６の付勢力によりコード２の引き込み速度が早くなることが有り得る。この場合プラグ８の速度も早くなりプラグ８に取り付けた尖刃７がコードリール装置３内部に引き込まれるまでの間に家具や床などの物に当たって傷つけたり、アイロンを掛けている本人に当たって怪我をすることもあった。
【０００７】
これを避けるためには、前記コードリール装置３内部に設けたぜんまい６の付勢力を弱めれば良いが前述したようにコードリール装置３内部はコード２が複数列巻けるようにしておりコード２が巻き取り方向に平行に入らず斜め方向に巻き取られた場合、コード２間の接触抵抗が大きくなって完全に巻き取れなくなる状況が生ずる。
【０００８】
またコード２を完全に引き出さずに半分位の長さから巻き取った場合には、ぜんまい６の付勢力を下げると、巻き取る力が弱くなるため完全にコード２をコードリール装置３内部に引き込めない場合が発生する。
【０００９】
本発明は、前記従来の課題を解決するもので、コードの巻き取りが安全で、かつ確実にできると共に、使い勝手の良いアイロン装置を提供することを目的とする。
【課題を解決するための手段】
【００１０】
前記従来の課題を解決するために、本発明のアイロンは、アイロン本体と、前記アイロン本体に電源を供給するコードを巻き取るコードリール装置と、前記コードの先端のプラグに設けた保護カバーとを備え、前記保護カバーは、前記プラグの尖刃を覆うと共に、弾力性の有る形状に又は／および弾力性の有る材料で形成したもので、コードの巻き取り時に家具や床などの他の物体や人とプラグが接触しても直接尖刃に当たることがなくなり傷をつけたり怪我をしたりすることが無く、またプラグをコンセントに差し込む場合には、保護カバーの弾力性により保護カバーに邪魔されることなくプラグは従来通り完全にコンセントに差し込むことができる。さらに保護カバーをコンセントに差し込んだ時、保護カバーの弾力性により保護カバーがコンセント表面に密接した状態を保ち尖刃を完全に覆うことによりプラグとコンセントの結合部に水などの液体が浸入するのを防ぐ役目も持たせたものである。
【発明の効果】
【００１１】
本発明のアイロン装置は、コードリール装置でコードが巻き取られる際に、コードの先端に設けたプラグの尖刃で、家具、床などに傷を付けるのを防止することができる。
【発明を実施するための最良の形態】
【００１２】
第１の発明は、アイロン本体と、前記アイロン本体に電源を供給するコードを巻き取るコードリール装置と、前記コードの先端のプラグに設けた保護カバーとを備え、前記保護カバーは、前記プラグの尖刃を覆うと共に、弾力性の有る形状に又は／および弾力性の有る材料で形成したもので、コードの巻き取り時に家具や床などの他の物体や人とプラグが接触しても直接尖刃に当たることがなくなり傷をつけたり怪我をしたりすることが無く、またプラグをコンセントに差し込む場合には、保護カバーの弾力性により保護カバーに邪魔されることなくプラグは従来通り完全にコンセントに差し込むことができる。さらに保護カバーをコンセントに差し込んだ時、保護カバーの弾力性により保護カバーがコンセント表面に密接した状態を保ち尖刃を完全に覆うことによりプラグとコンセントの結合部に水などの液体が浸入するのを防ぐ役目も持たせたものである。
【００１３】
第２の発明は、特に、第１の発明の保護カバーの一端を、プラグの指接触部と尖刃との間に固定したもので、プラグをコンセントに差し込む場合、従来と同様の使い勝手を得ることができ、かつ保護カバーの機能を損なわないようにすることができる。
【００１４】
第３の発明は、特に、第１又は第２の発明の保護カバーをジャバラ状に形成したもので、保護カバーをコンセントに差し込んだ場合保護カバーの反力を小さくして保護カバーが容易に十分に変形するようになり、従ってプラグをコンセントに確実に差し込むことができる。
【００１５】
第４の発明は、特に、第１又は第２の発明の保護カバーを、プラグの尖刃方向に対して平行に中央部が膨らんだＵ字型断面形状にしたもので、保護カバーをコンセントに差し込んだ場合、保護カバーの反力を小さくして保護カバーが容易に十分に変形するので、プラグをコンセントに確実に差し込むことができる。
【００１６】
第５の発明は、特に、第１〜４のいずれか１つの発明の保護カバーを、透明又は半透明材料で形成したもので、保護カバーが尖刃を覆っていても尖刃の位置を、外部から目視で容易に確認できプラグが差し込み易くなるものである。
【００１７】
以下、本発明の実施の形態について、図面を参照しながら説明する。なお、この実施の形態によって本発明が限定されるものではない。
【００１８】
（実施の形態１）
図１（Ａ）は、本発明の第１の実施の形態におけるアイロン装置のプラグ部分の平面図、（Ｂ）は、同プラグ部分の部分断面図、（Ｃ）は、同プラグをコンセントに差した時の部分断面図である。なお、従来例と同一部分については同一符号を付してその説明を省略する。
【００１９】
図１において、尖刃７を有するプラグ８は、コード２と接続されており、コード２は図には書かれていないが、アイロン本体１またはスタンド１０に内蔵したコードリール装置３と接続されている。１１は、一端がプラグ８の指接触部１３と尖刃７との間に固定され、他端に開口部１１ａを設けた保護カバーで、尖刃７を覆うように設けられ、弾力性を有する材料でできている。この場合保護カバー１１の材質として難燃性、弾力性を有するシリコンゴムなどのゴム材料が適している。保護カバー１１の形状は、プラグ８をコンセント１２に差し込んだ場合、保護カバー１１の変形部１５が十分たわむように中央部が膨らんだ略Ｕ字型断面形状をしている。
【００２０】
図１（Ｂ）は、プラグ８を壁などに設けたコンセント１２に差す前の状態を示しており、プラグ８の尖刃７は、保護カバー１１で覆われているので、コード１２がコードリール装置３により、巻き込まれる際に、プラグ８が物に当たっても保護カバー１１により傷をつけたりする事が無い。
【００２１】
そして、プラグ８をコンセント１２に差す時は、図１（Ｃ）に示すように、保護カバー１１の先端がコンセント１２の表面に当たると、変形部１５が撓んで、プラグ８の尖刃７が保護カバー１１の開口部１１ａから出て、コンセント１２に、通常通り差す事ができる。
【００２２】
なお、保護カバー１１の変形部１５の先端部は必ずしもプラグ８の尖刃７の先端よりも突出する必要は必ずしもなく、コード２をコードリール装置３に引き込む時に物や人に当たった場合、必ず保護カバー１１が、尖刃７よりも先に当たるように保護カバー１１の形状を設定しておけば良い。
【００２３】
また、図１では、プラグ８の形状は、日本国内における標準のＡ２プラグタイプを示しているが、各国で使用されているプラグについても同様の保護カバー１１を設けるようにすると良い。
【００２４】
図２は、保護カバー１１の他の例を示すもので、変形部１５の形状をジャバラ状にしたもので、保護カバー１１自体の弾力性とジャバラ構造のフレキシブル性によりプラグ８をコンセント１２に差し込む時に、プラグ８がコンセント１２に完全に差し込まれるようにするとともに、この時の反力を利用して保護カバー１１の先端部がコンセント１２の表面に密接するようにしている。これによりプラグ８とコンセント１２の結合部に水などが浸入するのを防ぐことができる。
【００２５】
また、保護カバー１１を、透明又は半透明材料で形成すれば、プラグ８をコンセント１２に差し込む場合、保護カバー１１で尖刃７が覆われていても、尖刃７の位置を目視で容易に確認できプラグ８をコンセント１２に差し込み易くなるものである。
【産業上の利用可能性】
【００２６】
以上のように、本発明にかかるコードリールを有するアイロン装置は、コードリールでコードを巻き取る際に、コードの尖刃で、家具や、床等に傷をつける事が無く、安全性にも優れたもので、アイロン装置に限らずコードリールを有する各種電化機器にも広く適用できるものである。
【図面の簡単な説明】
【００２７】
【図１】（Ａ）本発明の実施の形態１におけるアイロン装置のプラグ部分の平面図（Ｂ）同プラグ部分の部分断面図（Ｃ）同プラグをコンセントに差した時の部分断面図
【図２】（Ａ）同アイロン装置のプラグ部分の外観図（Ｂ）プラグ部分の横断面図（Ｃ）プラグをコンセントへ取り付け時の横断面図
【図３】従来のアイロン装置の後部断面図
【図４】従来の他の例を示すコードレスアイロン装置の横断面図
【符号の説明】
【００２８】
１  アイロン本体
２  コード
３  コードリール装置
７  尖刃
８  プラグ
１０  スタンド
１１  保護カバー
１２  コンセント
１３  指接触部
１５  変形部
【図１】
2006075481.tif 000003
【図２】
2006075481.tif 000004
【図３】
2006075481.tif 000005
【図４】
2006075481.tif 000006